(57)【要約】【課題】描画される線や文字の線幅を補正できる画像形成装置を提供する。【解決手段】画像形成部（１３０）と、画像入力部（１４０）と、制御部（１００）と、記憶手段（１１０）を備えた画像形成装置（１）であって、制御部（１００）は、標準細線の画像を記録手段上に形成し、画像入力部（１４０）から読み取り、実際に形成された画像の線幅情報を記憶手段（１１０）に登録し、また、その登録した線幅データ１１８に基づいて、画像形成を行う場合に、線幅を調節して、走査方向間のバランスを回復できるように補正を行うことを特徴するものである。【選択図】図１
2019105767.tif 000002
【特許請求の範囲】
【請求項１】
画像形成部と、画像入力部と、記憶手段と、制御部とを備えて、電子写真方式を用いて画像を形成する画像形成装置において、
前記制御部は、主走査方向の細線と副走査方向の細線を含む基準画像（標準細線データ１１４）を形成し、
読取った前記基準画像の基準線を含む描画データに基づき算出された、前記主走査方向の細線と前記副走査方向の細線の線幅の比率に基づき、描画される主走査方向の細線及び／又は副走査方向の細線の線幅を決定することを特徴とする画像形成装置。
【請求項２】
前記制御部は、入力された描画データ（印刷データ１２０）において、
線、文字、及び写真画像成分を成分情報に基づいて判別し、
線及び文字について、副走査方向の線幅を調整して、
画像形成部が記録媒体上に画像を形成することを特徴とする請求項１に記載の画像形成装置。
【請求項３】
前記制御部は、前記線幅の調整を、前記登録した線幅データ１１８に基づき、線の描画情報の変更、及び／又は、文字の描画情報の変更によって行うことを特徴とする、請求項１又は２に記載の画像形成装置。
【請求項４】
前記制御部は、前記線幅の調整を、前記登録した線幅データ１１８に基づくフィルタの生成と、線及び／又は、文字への適用によって行うことを特徴とする、請求項１〜３の何れか１項に記載の画像形成装置。
【請求項５】
前記制御部は、判別した線及び文字の副走査方向の線幅を、設定された閾値未満である場合に、線幅調整を行うことを特徴とする請求項１〜４の何れか１項に記載の画像形成装置。
【発明の詳細な説明】
【技術分野】
【０００１】
本発明は、電子写真方式を用いて画像を形成する画像形成装置に関する。
【背景技術】
【０００２】
従来、電子写真方式の画像形成装置は、高画質画像を簡易な操作でかつ短時間の間に形成でき、保守管理も容易であることから、たとえば、複写機、プリンタ、ファクシミリ装置などとして広く普及している。
【０００３】
画像形成装置の設置された環境、使用期間などによって、エンジン状態が変化する。本来、ある一定の方向と、該方向に直交する方向に対して、同じ線幅の線を描画するように命令する入力に対しては同じ線幅の線をかけるように設計されているが、エンジン状態が変わると、一定の方向と直交する方向での線幅のバランスが悪くなり、形成された画像の見栄えが悪くなる。変化の度合いが大きくなるとエンジン側の補正では対応しきれなくなることがある。
【０００４】
具体的には図１０において、（ａ）のように直交する２つの向きに描画される線分があり、いずれも線幅をｔ０で描画するような情報が入力されても、（ｂ）のように、長さＬ０の線分の線幅がｔ０からｔ１へとなり、同方向の長さｌ０の線分が長さｌ１に収縮して画像形成される。なお、変化を認識し易いように、線分を輪郭だけで表現しているが、本来は、輪郭の内側は塗り潰されている。ｔ０＞ｔ１、ｌ０＞ｌ１であり、ｌ０＞＞ｔ０＞ｌ０−ｌ１〜ｔ０−ｔ１といった大小関係である。ｌ０からｌ１の収縮は実際にはさほど感じられるものではないが、ｔ０からｔ１への収縮は、明らかに２つの直交する向きでバランスの変化が生じている。
【０００５】
線幅がｔ０からｔ１に収縮した方向は、そのままではバランスが悪く、何らかの方法での補正を必要とし、収縮が見られない方向は、補正不要である。なお、実用上は副走査方向が補正が必要な方向となる。
【０００６】
以上のような、補正が必要な線幅の欠損が生じた場合、例えば特許文献１では、エッジ部分を検出して補正を行うことが提案されている。
【０００７】
また、特許文献２においてＲＩＰ処理時、ウエイトパラメータ変更、さらにエッジ部分に対する補正による、文字画像及び線画像の一方の線幅調整を行う技術が開示されている。
【０００８】
また、特許文献３では、線や文字、写真を構成するドットそのものの扁平を、誤差拡散処理によって補正する技術が示されている。
【先行技術文献】
【特許文献】
【０００９】
【特許文献１】特開２００９−２０６８８８号公報
【特許文献２】特開２０１５−３５６４３号公報
【特許文献３】特開２０１０−４１４０号公報
【発明の開示】
【発明が解決しようとする課題】
【００１０】
しかしながら、特許文献１や特許文献２の技術では、エッジ部分の判定には時間がかかるため、印刷処理全体の時間がかかるという問題が生じる。また、特許文献３の技術でも同様に、描画の扁平率が大きくなると、エッジ強調処理を行う必要があり、エッジの処理に関する問題が起こり得る。
【００１１】
本発明は、上記従来の課題に鑑みてなされたものであり、主走査方向、副走査方向の線の太さのバランスのとれた線や文字を描画でき、印刷処理の時間を短くできる画像形成装置を提供することを目的とする。
【課題を解決するための手段】
【００１２】
本発明は、画像形成部と、画像入力部と記憶手段と、制御部とを備えた、画像形成装置において、主走査方向の細線と副走査方向の細線を含む予め設定された基準線を含む基準画像を形成し、読取った前記基準画像の基準線を含む描画データに基づき算出された、前記主走査方向の細線と前記副走査方向の細線の線幅の比率に基づき、描画される主走査方向の細線及び／又は副走査方向の細線の線幅を決定することを特徴とする画像形成装置。
【発明の効果】
【００１３】
主走査方向、副走査方向の線の太さのバランスのとれた線や文字を描画でき、印刷処理の時間を短くできる画像形成装置を提供できる。
【図面の簡単な説明】
【００１４】
【図１】第１実施形態の画像形成装置１の構成を示すブロック図である。
【図２】描線の場合について、（ａ）本来描画しようとしている描線＝補正の結果、実際に出力される描線、及び、（ｂ）画像形成部に送られる描線のイメージ、を表したものである。
【図３】第１実施形態の画像形成装置における、線幅の登録の動作時のフローチャートである。
【図４】第２実施形態の画像形成装置における、前記登録した線幅データ１１８に基づいて、細線の線幅を補正する動作時のフローチャートである。
【図５】第２実施形態の画像形成装置における、前記登録した線幅データ１１８に基づいて、文字の線幅を補正する動作時のフローチャートである。
【図６】第３実施形態の画像形成装置における、前記登録した線幅データ１１８に基づいて、文字の線幅を補正する動作時のフローチャートである。
【図７】本発明の実施の第４の形態における、前記登録した線幅データ１１８に基づくフィルタによる補正の状態を示すものであり、（ａ）元の線の画像データ、（ｂ）フィルタ（ｃ）フィルタ処理（ｄ）、２値化処理後の線の画像データを示すものである。
【図８】本発明の実施の第５形態における、前記補正値を適用する線を選択し、補正する動作時のフローチャートである。
【図９】本発明の実施の第５形態における、前記補正値を適用する文字を選択し、補正する動作時のフローチャートである。
【図１０】本発明で対処しようとする、線幅のずれを模式的に表すものであり、（ａ）本来描画しようとしている描線、及び、（ｂ）実際に出力される描線、を表したものである。
【発明を実施するための形態】
【００１５】
（第１実施形態）
図１は第１実施形態にかかる画像形成装置の構成を示すブロック図である。
第１実施形態の画像形成装置１は、図１に示すように、主に、制御部１００と、記憶部１１０と、操作表示部１４０と、画像形成部１６０と、画像入力部１８０と、を備えて構成されている。
【００１６】
制御部１００は記憶部１１０に格納された所定の制御プログラム１１２の実行によって記憶部１１０に格納されたデータに基づいて、操作表示部１４０、画像形成部１６０を制御する。
【００１７】
画像形成装置１は記憶部１１０に格納された、複数の標準細線データ１１４に基づき、画像形成部１６０にて、記録手段に画像を形成し、画像入力部１８０で該画像を読込み、線幅を算出し、記憶部１１０に補正値を登録する。
【００１８】
また、記憶部１１０に登録された該線幅の比率に基づき、印刷データ１２０に線幅の比率を適用して画像形成部１６０にて、記録手段に画像を形成する。
【００１９】
図２は、本発明の画像形成装置１において、図１０に見られた収縮を回避するための、線幅の補正の概念図である。本来（ａ）のようにいずれの方向においても線幅ｔ０で画像を形成したいところが収縮が生じるので、（ｂ）のように一旦、収縮が生じる方向について、あらかじめ線幅をｔ０からｔ２に拡大しておき、出力される際の収縮で、線幅がｔ０に戻る様に、調節するものであり、ｔ２＞ｔ０である。ｌ２に関してもｌ２＞ｌ０となるような補正を行うことが理想的ではあるが、この点は必ずしも必要ではなく、効果が薄いのであれば省略してもよい。
【００２０】
次に第１実施形態の画像形成装置１において、線の線幅を決定する工程をフローチャートに沿って説明する。
図３は、第１実施形態の画像形成装置における、主走査方向に対する、副走査方向の線幅を登録する第１の実施形態を示すフローチャートである。画像形成装置において自動線幅調整モードが開始されると、制御部１００は記憶部１１０に格納されている、主走査方向と副走査方向に描画される細線を含む、標準細線データ１１４を呼び出す（ステップＳ１００）。
標準細線データ１１４に基づき、画像形成部１６０は記録媒体上に標準細線の画像を形成する（ステップＳ１０２）。
画像入力部１８０は、記録媒体上に形成された標準細線の画像を読み取り入力画像データ１１６として記憶部１１０に記憶する（ステップＳ１０６）。
制御部１００は、読み取られた、標準細線の入力画像データ１１６の内、主走査方向の細線を検出し（ステップＳ１１２）、その副走査方向の線幅を決定する（ステップＳ１１４）。
制御部１００は、読み取られた、標準細線の入力画像データ１１６の内、副走査方向の細線を検出し（ステップＳ１１６）、その主走査方向線幅を決定する（ステップＳ１１８）。
制御部１００は、ステップＳ１１４で決定した主走査方向の線幅と、ステップＳ１１８で決定した主走査方向の線幅データ１１８を記憶部１１０に登録し（ステップＳ１３０）、自動線幅調整モードが終了する。
【００２１】
制御部１００がステップＳ１００で読み込んだ、標準細線データ１１４には、複数の線幅を有する標準細線について、細線の起点となる位置、終点の位置が格納されており、起点と終点から描画方向と長さの情報は得られる。標準細線であるので、主走査方向のみの成分、又は副走査方向のみの成分を有する、細線のベクトルデータである。主走査方向と副走査方向の両方向の成分を有する、いわゆる斜め方向への描画のベクトルデータについても、標準細線に含めてもよい。
【００２２】
なお、標準細線の複数の線幅は、当該画像形成装置において、「細線」として扱う線幅の範囲内で選択して変化させたものを、複数の標準細線データ１１４の組とする。
【００２３】
実際に記録媒体上に描画された、複数の標準細線について、画像入力部１８０から入力画像データ１１６として取り込んだ際には画像のビットマップデータとして取り込まれるので、制御部１００は該ビットマップデータから、起点、方向、すなわち主走査方向又は副走査方向の区別、線幅を抽出する必要がある。元々、標準細線データ１１４に基づいて、描画された各々の標準細線であるはずなので、制御部１００は起点、方向、線幅について、おおよその情報を把握しており、これら情報に基づいて、実際に取り込まれた入力画像データ１１６のビットマップデータから、描画された標準細線を認識し、ステップＳ１１２〜ステップＳ１１８における情報の抽出を実行する。
【００２４】
なお、画像入力部１８０で読み取る際に、生じ得る回転歪みについては、制御部１００によって適宜補正を行ったのち、上記ステップＳ１１２〜Ｓ１１８の情報の抽出処理を行ってもよい。
【００２５】
制御部１００による、上記、ステップＳ１１２〜ステップＳ１１８における描画線の方向や線幅の抽出は、標準細線データ１１４に基づいて、行うことができる。主走査方向に描画された副走査方向の線幅、又は、副走査方向に描画された主走査方向の線幅について、標準細線データ１１４における当初の細線の線幅に基づいて、それぞれ、主走査方向の線幅、又は副走査方向の線幅のずれを決定することもできる。いずれの方向についても意図していた線幅から相応にずれるのであれば、それぞれの方向の線幅について、それぞれの補正を必要とする。
【００２６】
しかしながら、実用上は、無視できないずれが生じるのは副走査方向の線幅であり、その結果、各々の線幅間の相対的なバランスが崩れ、描画の再現性が損なわれ易いという傾向があるため、専ら主走査方向に対する、副走査方向の線幅を補正することになる。
【００２７】
（第２実施形態）
次に、第２実施形態について説明する。
第２実施形態は画像形成装置１の記憶部１１０に登録した線幅データ１１８に基づいて、細線の線幅を形成するものである。
【００２８】
図４は第２実施形態の画像形成装置における登録した線幅データ１１８に基づいて、細線の線幅を補正する動作時のフローチャートである。
【００２９】
画像形成装置において、印刷モードでの動作が開始されると、図４に示すように、制御部１００は印刷データ１２０を読み込む（ステップＳ２００）。
引き続き、登録した線幅データ１１８を記憶部１１０から読み込む（ステップＳ２０２）。
そして、読み込まれた印刷データ１２０に含まれる、文字・線・写真のそれぞれのデータの型を判別する（ステップＳ２０４）。
【００３０】
そして、判別した各々のデータの型に基づいて、文字・線のデータを抽出する（ステップＳ２０６）。各々の線のデータの内、主走査方向に描画される細線のデータを抽出する（ステップＳ２０８）。
【００３１】
制御部１００は、抽出した、主走査方向に描画される細線のデータに、ステップＳ２０２で読み込んだ登録した線幅データ１１８に基づいて、副走査方向の線幅を補正する（ステップＳ２１０）。そして補正された細線、その他の線、文字、写真のデータから、印刷されるビットマップデータをラスタライズする（ステップＳ２１２）。
【００３２】
そして、ビットマップデータに基づき、画像形成部１６０は記録媒体に画像を形成して（ステップＳ２１４）、印刷モードが終了する。
【００３３】
なお、主走査方向、副走査方向に限定されない、斜めの線については、下記式に基づいて、線幅を拡幅する。副走査方向にｘ、主走査方向にｙの長さの斜め線で、副走査方向の線幅の膨張率をα、主走査線方向の線幅の膨張率をβとする時、斜め線の膨張率γとすると、以下の様になる。
【数１】
2019105767.tif 000003
【００３４】
次に第２実施形態の画像形成装置１において、文字について補正する場合の画像の形成を図５のフローに基づいて説明する。なお、図４と同じ処理がされるステップについては同符号を付番し、説明も省略する。以下のフローにおいても同様とする。
【００３５】
画像形成装置において、ステップＳ２０４で判別された文字・線・写真のデータ型に基づいて、文字データを抽出する（ステップＳ２１６）。
制御部１００は、抽出された文字データ中の、文字サイズの情報をステップＳ２０２で読み込まれた登録された線幅データ１１８に基づき拡幅する（ステップＳ２２０）。そして、細線、その他の線、補正された文字、写真のデータから、印刷されるビットマップデータをラスタライズする（ステップＳ２１２）。
【００３６】
そして、ビットマップデータに基づき、画像形成部１６０は、記録媒体に画像を形成して（ステップＳ２１４）、印刷モードが終了する。
【００３７】
（第３実施形態）
印刷データ１２０はベクトル形式のデータとして記述された線、文字のフォントの種別やサイズと文字コード、写真のようなビットマップデータ起源のデータの集合として、画像形成装置に送られてくる。
【００３８】
第３実施形態は、第２実施形態を説明した図３におけるステップＳ２１０、又は図４におけるステップＳ２２０での、補正の適用方法を、ベクトルデータの段階で、線や文字サイズ情報そのものの変更する実施形態といえる。
【００３９】
ベクトル形式で記述された線、特に細線であれば、その細線が主走査方向と副走査方向のいずれに向って描画されるのかが判別できる。
【００４０】
さらに抽出された主走査方向に描画される線のデータについて、その副走査方向の線幅を、登録した線幅データ１１８に基づいて、補正したのちビットマップデータにラスタライズすることができる。以上の補正においては、エッジ処理を必要とせず、迅速な補正処理が可能である。
【００４１】
画像形成装置１の第３実施形態では、細線線幅の補正を、ベクトルデータとして記載された描画情報上で、登録した線幅データ１１８に基づく変更によって拡幅し、ビットマップデータにラスタライズすることができる。
【００４２】
具体的には、線幅をベクトルデータとして記載された描画情報の変更で行う場合、ポストスクリプト形式の描画情報であれば、例えば以下の様にして行う。
元の情報
・・・・・・・
６  ｓｅｔｌｉｎｅｗｉｄｔｈ
１００  １００  ｍｏｖｅｔｏ
１００  ６００  ｌｉｎｅｔｏ
ｓｔｒｏｋｅ
６  ｓｅｔｌｉｎｅｗｉｄｔｈ
２００  ２００  ｍｏｖｅｔｏ
８００  ２００  ｌｉｎｅｔｏ
ｓｔｒｏｋｅ
・・・・・・・・
といった場合、座標（１００，１００）から（１００，６００）のようにｙ座標だけの変化がみられる線と、座標（２００，２００）から（８００，２００）のようにｘ座標だけの変化がみられる線をいずれも、線幅６ｐｔで描画するように情報が記述されている。ここで、主走査方向がｙ軸の方向である場合、上記のうち、ｙ座標に変化がある線が、主走査方向に描画される線であり、その線幅が、本来意図していたよりも細く描画されるので、この線については、実際の出力時に６ｐｔで描画されるように、登録された線幅データ１１８に基づいて、線幅を大きくする描画情報を与える。例えば、
変更後の情報
・・・・・・・
７  ｓｅｔｌｉｎｅｗｉｄｔｈ
１００  １００  ｍｏｖｅｔｏ
１００  ６００  ｌｉｎｅｔｏ
ｓｔｒｏｋｅ
６  ｓｅｔｌｉｎｅｗｉｄｔｈ
２００  ２００  ｍｏｖｅｔｏ
８００  ２００  ｌｉｎｅｔｏ
ｓｔｒｏｋｅ
・・・・・・・・
といったような、変更を行うことで補正を行うことができる。このように制御部１００によって変更された描画情報に基づき、画像形成部１６０が画像形成する際に、副走査方向に収縮して、本来所望の、主走査方向と副走査方向の間で、線幅のバランスがとれた描線を形成することができる。
【００４３】
同様に、画像形成装置１の第３の実施形態では、文字データについては、フォントが、文字の各要素の集合であるので、制御部１００は、各要素を描画する線のベクトルの描画情報に基づいて、要素の位置、方向、線幅といった描画情報を得ることができる。さらに文字サイズ情報に基づき、文字を構成する線の線幅の描画情報と、登録した線幅データ１１８に対応させて、拡幅の為の比率や増分を決定できる。その上で、制御部１００は副走査方向について、全体的に線幅、線長とも拡幅或いは伸張させることで、文字全体の描画情報を、副走査方向に拡幅して補正することができる。そして、副走査方向に拡幅した描画情報に基づいて、ビットマップデータにラスタライズすることができる。最終的に、画像形成部１６０が画像形成する際に、副走査方向に収縮して、本来所望の、主走査方向と副走査方向の間で、線幅のバランスがとれた文字を形成することができる。
【００４４】
この第３の実施形態における文字データの、より詳細な処理として、制御部１００は、各要素を描画する線のベクトルから、主走査方向と副走査方向のいずれに向って描画するのかを判別可能である。制御部１００は、このようにして抽出した文字を形成する各要素の線の線幅に関する描画情報を、細線のデータの場合と同様に補正したのち、ビットマップデータにラスタライズすることができる。この処理を図６のフローチャートに基づいて説明する。図５で説明した第２の実施形態において、ステップＳ２２０に相当する部分が、以下のステップＳ２１８およびＳ２２４のように処理される。
【００４５】
制御部１００は、抽出した文字データに基づき、文字を形成するフォントデータから、主走査方向と、副走査方向に描画される、それぞれの要素の成分を抽出する（ステップＳ２１８）。
制御部１００は、抽出した主走査方向に描画される要素の、副走査方向の線幅に関する描画情報に補正を適用する（ステップＳ２２２）。
同様に、制御部１００は、抽出した副走査方向に描画される要素の線長に関する描画情報に補正を適用する（ステップＳ２２４）。
制御部１００は、細線、その他の線、補正された文字、写真のデータから、印刷されるビットマップデータをラスタライズする（ステップＳ２１２）。
ビットマップデータに基づき、画像形成部１６０は、記録媒体に画像を形成し（ステップＳ２１４）、印刷モードが終了する。
【００４６】
（第４実施形態）
第４実施形態は、第２実施形態を説明した図３におけるステップＳ２１０、又は図４におけるステップＳ２２０の補正適用の方法の、さらに別の形態である。
【００４７】
補正対象となる線や文字のベクトルデータを一旦ビットマップ化し、次に登録した線幅データ１１８に基づいて、フィルタを作成し、ビットマップデータに対してフィルタを適用して、補正対象の線や文字の線幅をビットマップデータとして補正する。その後、補正対象とはならなかった他の印刷データ１２０と統合して、全体をラスタライズし、通常の画像形成処理を行う。このような、一旦、ビットマップデータにしてからの補正処理であっても、特にエッジ処理は必要とはしない。
【００４８】
図７は画像形成装置１の第４実施形態における、上記ビットマップデータに、フィルタを適用して線幅調節を行う過程を示すものである。
（ａ）に示される、幅３画素分の線のビットマップデータに対し、（ｂ）登録した線幅データ１１８に基づき制御部１００によって生成される、フィルタであり、（ｂ）のフィルタを適用する処理を行うと、（ｃ）のように、従来画素が置かれなかった白紙部分に画素が置かれ、（ｄ）のように２値化された画像を記録媒体上に形成すると、線幅５画素分の画像が形成されることになる。
【００４９】
このように構成することで、第４実施形態によれば、ビットマップ化されていれば文字のデータも同様に処理が可能であり、副走査方向への線幅を補正できる。
【００５０】
（第５実施形態）
図８は、画像形成装置１の第５実施形態において、補正対象の線を線幅によって、処理を行うか否かを判別して行う場合のフローチャートである。補正対象の候補となる、主走査方向に描画されるはずのデータについて、制御部１００はステップＳ２３０で、その副走査方向の線幅を判別し、閾値未満であれば補正の対象として、ステップＳ２１０で補正を行うが、閾値以上であれば補正を行わない。
【００５１】
線幅の補正を要する線幅の減少は、本来描画されるべき線幅に比例して起こるというわけではなく、減少分には上限がある。従って、元々細線であれば、その減少分は無視できないものであり、補正してバランスを改善する意義がある。しかしながら、元々が線幅の大きい線であれば、その減少分は、無視できるほどに小さく、処理には余計な時間を費やすことになるにも関わらず、補正しても効果は限定的なので、補正の対象外とする方が好ましい。
【００５２】
図９は、画像形成装置１の第５の実施形態において、図８における細線に代わり、補正対象が文字の場合のフローチャートである。文字の場合は、フォントサイズで、その文字のおおよその線幅が決まるので、制御部１００は、ステップＳ２４０で、フォントサイズそのものを閾値として設定して、補正の要否を判定する。補正の必要があればステップＳ２２０で、補正適用の処理を行う。
【００５３】
なお、フォントによっては、元々線幅の大きいボールドのフォントであったり、プレーンのフォントであっても、ボールドの設定がされていたりする場合は、適宜、閾値を変化させてもよい。
【００５４】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【産業上の利用可能性】
【００５５】
本発明を利用すれば、エンジンの経時変化で、方向による線幅のバランスが損なわれた場合であっても、補正に必要な線幅を測定し、登録した線幅データ１１８に基づく補正により、そのバランスを回復し、美しい画像の形成が可能な画像形成装置が提供される。
【図１】
2019105767.tif 000004
【図２】
2019105767.tif 000005
【図３】
2019105767.tif 000006
【図４】
2019105767.tif 000007
【図５】
2019105767.tif 000008
【図６】
2019105767.tif 000009
【図７】
2019105767.tif 000010
【図８】
2019105767.tif 000011
【図９】
2019105767.tif 000012
【図１０】
2019105767.tif 000013
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
印刷データに基づいて画像を形成する画像形成部と、画像入力部と、制御部と、を備えた画像形成装置において、
前記制御部は、
主走査方向の細線と、副走査方向の細線と、を含む基準画像を前記画像入力部から入力し、
前記基準画像の、前記主走査方向の細線と、前記副走査方向の細線との線幅の比率に基づき、前記印刷データの主走査方向の細線の線幅を調整することを特徴とする画像形成装置。
【請求項２】
前記制御部は、前記印刷データにおいて、
線及び文字を判別し、
線及び文字について、主走査方向の細線の線幅を調整することを特徴とする請求項１に記載の画像形成装置。
【請求項３】
前記制御部は、前記線幅の調整を、前記線幅の比率に基づき、線の描画情報の変更及び／又は文字の描画情報の変更によって行うことを特徴とする請求項２に記載の画像形成装置。
【請求項４】
前記制御部は、前記線幅の調整を、前記線幅の比率に基づくフィルタの生成と、線及び／又は文字への前記フィルタの適用によって行うことを特徴とする請求項２に記載の画像形成装置。
【請求項５】
前記制御部は、判別した線及び文字の主走査方向の細線の線幅を、設定された閾値未満である場合に、前記線幅の調整を行うことを特徴とする請求項２から４の何れか１項に記載の画像形成装置。
【手続補正２】
【補正対象書類名】明細書
【補正対象項目名】００１７
【補正方法】変更
【補正の内容】
【００１７】
画像形成装置１は記憶部１１０に格納された、複数の基準画像（標準細線データ１１４）に基づき、画像形成部１６０にて、記録手段に画像を形成し、画像入力部１８０で該画像を読込み、線幅を算出し、記憶部１１０に補正値を登録する。